(57)【特許請求の範囲】
【請求項１】
少なくとも２枚以上のフィルムを合わせて当該フィルムの端同士を接合することにより形成された袋部を備え、この袋部内に液状化粧料を収容すると共に前記袋部の内外を連通する開口頚部を有する袋状容器と、
前記開口頚部に着脱可能に装着されて前記開口頚部の蓋となる蓋部と、
前記蓋部に設けられ当該蓋部が前記開口頚部に装着されたときに前記開口頚部を通して前記袋部内に進入する塗布体と、を具備した液状化粧料容器であって、
前記開口頚部に回転不能に連設されて前記袋部内の底部側へ向かうように延び、前記塗布体を収容可能な筒形状を成すと共に、その周面に前記液状化粧料を内部に進入可能とする開口が設けられたパイプ部を備え、
前記塗布体は、前記蓋部が前記開口頚部に装着されたときに、前記パイプ部内に進入し前記パイプ部の前記開口が設けられている位置に達することを特徴とする液状化粧料容器。
【請求項２】
前記パイプ部の前記開口は、前記パイプ部の軸線方向に延びるスリットであることを特徴とする請求項１記載の液状化粧料容器。
【請求項３】
前記スリットは、塗布体の全長を露出させることを特徴とする請求項２記載の液状化粧料容器。
【請求項４】
前記パイプ部の前記開口は、前記フィルム端同士を接合した接合部に対向する位置に開口されていることを特徴とする請求項１〜３の何れか一項に記載の液状化粧料容器。
【請求項５】
前記フィルム端同士を接合した接合部は、前記パイプ部の前記開口に対向する部分が、前記開口に向かって迫り出していることを特徴とする請求項４記載の液状化粧料容器。
【発明の詳細な説明】
【技術分野】
【０００１】
本発明は、液状化粧料を塗布するための液状化粧料容器に関する。
【背景技術】
【０００２】
従来、マスカラやリップグロス等の液状化粧料を収容しこの液状化粧料を塗布可能な塗布体付き液状化粧料容器として、ボトルタイプが一般的に知られている。このボトルタイプの液状化粧料容器の場合、付属の塗布体では使い切ることができない液状化粧料が容器内に多く残存するという問題がある。
【０００３】
そこで、以下の特許文献１、２には、上記ボトルタイプの問題を克服するために、袋状の容器の内部に液状化粧料を収容するタイプの塗布体付き液状化粧料容器が記載されている。この液状化粧料容器は、袋部内に液状化粧料を収容すると共に袋部の内外を連通する開口頚部を有する袋状容器と、開口頚部に着脱可能に装着されて開口頚部の蓋となる蓋部と、蓋部に設けられ当該蓋部が開口頚部に装着されたときに開口頚部を通して袋部内に進入し液状化粧料に浸漬する塗布体と、を有する構成とされ、使用の際には、使用者が、蓋部を開口頚部から取り外し、塗布体に付着している液状化粧料を被塗布部に塗布するというものである。そして、袋状容器は、特許文献１にあっては、例えばポリエチレンやポリプロピレン等の合成樹脂より成り、当該袋状容器を押し絞れば、大半の液状化粧料を使い切ることができるとされている。また、特許文献２にあっては、弾性と可撓性を有するフィルムより成る袋状容器が、硬質の容器本体内に収容されており、使用に伴う袋状容器の元来のシート状への自己復元力によって、袋部内に進入している塗布体に液状化粧料を集めることができ、大半の液状化粧料を使い切ることができるとされている。
【先行技術文献】
【特許文献】
【０００４】
【特許文献１】特開２００６−１０２４７８号公報
【特許文献２】特開平９−１０３３２２号公報
【発明の概要】
【発明が解決しようとする課題】
【０００５】
しかしながら、特許文献１にあっては、大半の液状化粧料を使い切るべく、袋状容器を押し絞れるように軟らかくしているため、当該袋状容器を誤って押し潰すような押圧力が外部から作用すると、袋部内に進入している塗布体が変形又は破損し、塗布する機能が損なわれてしまうという問題がある。また、特許文献２にあっては、袋状容器を硬質の容器本体内に収容しているため、上記押圧力が外部から作用しても、袋部内に進入している塗布体の変形又は破損を防止できるが、袋状容器の自己復元力のみでは袋部内の液状化粧料を無駄なく十分使い切ることはできない。
【０００６】
そこで、本発明は、液状化粧料を十分に使い切ることができ残量を十分に少なくできると共に、塗布体を十分に保護することができる液状化粧料容器を提供することを目的としている。
【課題を解決するための手段】
【０００７】
本発明による液状化粧料容器は、少なくとも２枚以上のフィルムを合わせて当該フィルムの端同士を接合することにより形成された袋部を備え、この袋部内に液状化粧料を収容すると共に袋部の内外を連通する開口頚部を有する袋状容器と、開口頚部に着脱可能に装着されて開口頚部の蓋となる蓋部と、蓋部に設けられ当該蓋部が開口頚部に装着されたときに開口頚部を通して袋部内に進入する塗布体と、を具備した液状化粧料容器であって、開口頚部に回転不能に連設されて袋部内の底部側へ向かうように延び、塗布体を収容可能な筒形状を成すと共に、その周面に液状化粧料を内部に進入可能とする開口が設けられたパイプ部を備え、塗布体は、蓋部が開口頚部に装着されたときに、パイプ部内に進入しパイプ部の開口が設けられている位置に達することを特徴としている。
【０００８】
このような液状化粧料容器によれば、袋状容器には、その袋部内に液状化粧料が収容される一方で、袋部の内外を連通する開口頚部が設けられると共にこの開口頚部に回転不能に連設されて袋部内の底部側へ向かうように延びるパイプ部が設けられ、このパイプ部の周面に液状化粧料を内部に進入可能とする開口が設けられ、蓋部が開口頚部に装着されると、蓋部に設けられた塗布体が、開口頚部を通してパイプ部内に進入し収容されて、パイプ部の開口が設けられている位置に達するため、使用者が袋部を押す（絞る）と、液状化粧料は開口を通してパイプ部内に進入し、この開口に達している塗布体が液状化粧料に十分に浸漬し、従って、液状化粧料を十分に使い切ることができ残量を十分に少なくできる。また、このように、パイプ部内に塗布体を収容するため、誤って袋部を押し潰す押圧力が作用した場合、パイプ部によって塗布体を十分保護することができる。
【０００９】
ここで、パイプ部の開口は、パイプ部の軸線方向に延びるスリットであると、このスリットを通して液状化粧料をパイプ部内に容易に導入でき、液状化粧料を一層使い切ることができ残量を一層少なくできる。
【００１０】
また、スリットは、塗布体の全長を露出させる構成であると、スリットからの液状化粧料に塗布体が一層十分に浸漬し、液状化粧料を一層使い切ることができ残量を一層少なくできる。
【００１１】
また、パイプ部の開口は、フィルム端同士を接合した接合部に対向する位置に開口されていると、袋部を押し潰す押圧力が作用する方向（袋状容器の表裏方向）には開口がないため、パイプ部の周壁によって塗布体を一層保護することができる。
【００１２】
また、フィルム端同士を接合した接合部は、パイプ部の開口に対向する部分が、開口に向かって迫り出していると、この迫り出している接合部と開口との間が他の部分に比して狭められた流路を形成するため、使用者が袋部を押すと、袋部内の液状化粧料は開口近傍を流通してパイプ部内に容易に進入し、従って、液状化粧料を一層使い切ることができ残量を一層少なくできる。
【発明の効果】
【００１３】
このように本発明によれば、液状化粧料を十分に使い切ることができ残量を十分に少なくできると共に、塗布体を十分に保護することができる。
【図面の簡単な説明】
【００１４】
【図１】本発明の第１実施形態に係る液状化粧料容器を示す外観斜視図である。
【図２】図１に示す液状化粧料容器の一部破断斜視図である。
【図３】図１に示す液状化粧料容器の縦断斜視図である。
【図４】図１のIV-IV矢視図である。
【図５】図１中の袋状容器を示す斜視図である。
【図６】図１中の塗布体付き蓋部を示す斜視図である。
【図７】本発明の第２実施形態に係る液状化粧料容器を示す図であり、接合部の形状を説明するための概略平面図である。
【図８】本発明の第３実施形態に係る液状化粧料容器を示す図であり、袋状容器及び接合部の形状を説明するための概略平面図である。
【発明を実施するための形態】
【００１５】
以下、本発明による化粧料容器の好適な実施形態について図１〜図８を参照しながら説明する。図１〜図６は、本発明の第１実施形態を、図７は、本発明の第２実施形態を、図８は、本発明の第３実施形態を各々示すものであり、各図において、同一の要素には同一の符号を付し、重複する説明は省略する。
【００１６】
先ず、図１〜図６に示す第１実施形態を説明する。図１〜図３は、第１実施形態に係る液状化粧料容器を示す各斜視図、図４は、図１のIV-IV矢視図、図５は、袋状容器の斜視図、図６は、塗布体付き蓋部を示す斜視図である。なお、ここでは、特に好適であるとして、液状化粧料Ｌをマスカラとし、塗布体３をスクリューブラシとして説明していくが、液状化粧料Ｌをリップグロスとし、塗布体３をフロッキーチップとしても良く、また、塗布体３をコームとしても良く、他の液状化粧料及び塗布体を用いた液状化粧料容器とすることも勿論可能である。
【００１７】
図１〜図３に示すように、液状化粧料容器１００は、液状化粧料Ｌを収容した袋状容器１と、この袋状容器１に対して着脱可能に装着される塗布体３付きの蓋部２と、を備える。
【００１８】
袋状容器１は、図１〜図５に示すように、平面視略長方形状の２枚のフィルム１ａ，１ａの周端同士を接合した接合部１ｂを有すると共に、この接合部１ｂの内側に袋部１ｃを有し、さらに、袋部１ｃの内外を連通する開口頚部１ｄを有する。
【００１９】
接合部１ｂは、フィルム１ａ、１ａ同士を合わせ当該フィルム１ａ，１ａの端同士を所定幅で例えば熱溶着により接合することによって形成される。フィルム１ａとしては、種々のものを用いることが可能であるが、例えば、オレフィン系のポリエチレン、ポリプロピレンやポリエステル系のＰＥＴ等、これらにアルミ、アルミナ、シリカ等を蒸着したもの、さらにアルミフィルムをラミネートしたもの等を用いることができる。
【００２０】
袋部１ｃは、フィルム１ａ，１ａの周端同士を接合することによって接合部１ｂの内側に形成され、内部に液状化粧料Ｌを収容する。この液状化粧料Ｌは、接合部１ｂによると共に蓋部２が袋状容器１に装着されることによりシールされる。なお、ここでは、２枚のフィルム１ａ，１ａを合わせて接合しているが、３枚以上であっても良い。
【００２１】
開口頚部１ｄは、接合部１ｂに取り付けられる取付部１ｅと、塗布体付き蓋部２を着脱可能に装着するための装着部１ｆを備える。取付部１ｅは、接合部１ｂのうちの、平面視略長方形を成すフィルム１ａの長手方向一端側の接合部に設けられる。この取付部１ｅは、その左右両側部分が接合部１ｂに固着されると共に、その中央部分が円筒状に構成された連通筒部１ｇ（図３参照）とされて袋部１ｃ内外を連通する。この連通筒部１ｇは、塗布体３を挿通可能とする。
【００２２】
装着部１ｆは、連通筒部１ｇに続く円筒状とされて外側に突出するように該連通筒部１ｇに連設される。この装着部１ｆの外周面には、塗布体付き蓋部２と螺合し当該塗布体付き蓋部２を着脱可能とする雄螺子１ｈが形成されている。
【００２３】
また、装着部１ｆの内周面には、円筒形状の挿通部１ｉが設けられている。この挿通部１ｉは、塗布体３を挿通可能とすると共に、その内周面に、塗布体３が通過する際に、塗布体３に付着した余分な液状化粧料Ｌを掻き取るための掻取部１ｊ（図３参照）を有する。
【００２４】
ここで、特に本実施形態においては、開口頚部１ｄの連通筒部１ｇに連設されて当該連通筒部１ｇに続き袋部１ｃ内に進入する円筒状のパイプ部４が設けられている。このパイプ部４は、塗布体３を収容可能とされ、袋状容器１の長手方向中程より多少底部側まで延びている。
【００２５】
また、パイプ部４には、その周面に内外を連通し液状化粧料Ｌの流通を可能とする開口であるスリット４ａが設けられている。このスリット４ａは、パイプ部４の軸線方向に延び、パイプ部４の先端（底部）近傍から塗布体長の分が開口されている（図３参照）。スリット４ａは、ここでは、２個が設けられ、接合部１ｂに対向する位置に開口されている（図４参照）。そして、このスリット４ａ及び先端（底部側）の開口を通して液状化粧料Ｌがパイプ部４内に進入し、パイプ部４内が液状化粧料Ｌに満たされる。
【００２６】
なお、ここでは、パイプ部４は、開口頚部１ｄを構成する取付部１ｅ及び装着部１ｆと共に一体成形されているが、これらのパイプ部４、取付部１ｅ、装着部１ｆと挿通部１ｉ、掻取部１ｊとを一体成形しても良く、その一体成形の組み合わせは任意に取り得る。また、パイプ部４、取付部１ｅ、装着部１ｆ、挿通部１ｉ及び掻取部１ｊを全て別部品とし、これらを固着するようにしても良い。
【００２７】
図１〜図３及び図６に示すように、塗布体付き蓋部２は、開口頚部１ｄの蓋となる蓋部２ａと、この蓋部２ａに設けられた塗布体３と、を備える。
【００２８】
蓋部２ａは、有底筒状に構成され、その開口端側の内周面に、開口頚部１ｄの外周面の雄螺子１ｈに螺合する雌螺子２ｈを有する。そして、蓋部２ａは、その雌螺子２ｈを雄螺子１ｈに螺合することで、袋状容器１に対して着脱可能に装着される。
【００２９】
また、蓋部２ａは、蓋部２ａ内から袋状容器１側に突出し袋状容器１の挿通部１ｉを挿通してパイプ部４内に進入する軸部２ｂを有し、この軸部２ｂの先端に、塗布体３が取り付けられている。
【００３０】
そして、図２及び図３に示すように、蓋部２ａが開口頚部１ｄに螺子２ｈ，１ｈの螺合により装着されると（蓋部２ａが締められると）、軸部２ｂ及び塗布体３は、挿通部１ｉ、連通筒部１ｇを通してパイプ部４内に進入し、塗布体３は、パイプ部４のスリット４ａが設けられている位置に達し、ここでは、塗布体３の全長がスリット４ａから露出するように構成されている。
【００３１】
なお、このような液状化粧料容器１００にあっては、袋状容器１の接合部１ｂのうちの上部片側に、吊り下げ用の孔１ｋが設けられている。
【００３２】
このように構成された液状化粧料容器１００によれば、購入時（初期時）にあっては、パイプ部４内には液状化粧料Ｌが満たされており、塗布体３は液状化粧料Ｌに十分に浸漬し当該塗布体には液状化粧料Ｌが十分に付着する。
【００３３】
使用にあたっては、使用者は、蓋部２ａを回すことで蓋部２ａの雌螺子２ｈと開口頚部１ｄの雄螺子１ｈの螺合を解除し蓋部２ａを袋状容器１から取り外す。このとき、塗布体３は、掻取部１ｊを通過し余分な液状化粧料Ｌが掻き取られる。使用者は、塗布体３に液状化粧料Ｌが最適に付着した状態で使用に供し、使用後は、蓋部２ａを回しながら袋状容器１に装着する。
【００３４】
そして、使用に従いパイプ部４内の液状化粧料Ｌが少なくなってくると、蓋部２ａを袋状容器１に装着した状態で、使用者は袋部１ｃを押す（絞る）ことになる。具体的には、袋部１ｃのパイプ部４の無い部分（パイプ部４の周囲）を押すことになる。
【００３５】
すると、液状化粧料Ｌはスリット４ａを通してパイプ部４内に進入し、このとき、塗布体３はパイプ部４のスリット４ａが設けられている位置に達しているため、このスリット４ａに達している塗布体３が液状化粧料Ｌに十分に浸漬する。従って、以降は上記と同様に、使用者は、蓋部２ａを袋状容器１から取り外し、塗布体３に十分に付着した液状化粧料Ｌを被塗布部に塗布すれば良い。
【００３６】
そして、このような使用者が袋部１ｃを押す動作を、パイプ部４内の液状化粧料Ｌが少なくなるたびに繰り返せば、液状化粧料Ｌを十分に使い切ることができ残量を十分に少なくできる。
【００３７】
また、本実施形態の液状化粧料容器１００によれば、前述のようにパイプ部４内に塗布体３を収容しているため、誤って袋部１ｃを押し潰す押圧力が作用した場合でも、パイプ部４によって塗布体３を十分保護することができる。
【００３８】
また、本実施形態の液状化粧料容器１００によれば、以下の効果もある。すなわち、パイプ部４の開口は、パイプ部４の軸線方向に延びるスリット４ａとされているため、このスリット４ａを通して液状化粧料Ｌをパイプ部４内に容易に導入でき、液状化粧料Ｌを一層使い切ることができ残量を一層少なくできる。
【００３９】
また、スリット４ａは、塗布体３の全長を露出させるため、スリット４ａからの液状化粧料Ｌに塗布体３が一層十分に浸漬し、液状化粧料Ｌを一層使い切ることができ残量を一層少なくできる。
【００４０】
また、パイプ部４のスリット４ａは、フィルム１ａ，１ａ端同士を接合した接合部１ｂに対向する位置に開口されているため、袋部１ｃを押し潰す押圧力が作用する方向（袋状容器１の表裏方向；図４の上下方向）には開口がなく、従って、パイプ部４の周壁によって塗布体３を一層保護することができる。
【００４１】
因みに、本発明者の実験によると、液状化粧料Ｌの残量は従来の１５％から５％になった。
【００４２】
図７は、本発明の第２実施形態に係る液状化粧料容器を示す図であり、接合部の形状を説明するための概略平面図である。
【００４３】
この第２実施形態の液状化粧料容器２００が第１実施形態の液状化粧料容器１００と違う点は、フィルム１ａ，１ａ端同士を接合した接合部１ｂのうちのパイプ部４のスリット４ａ（パイプ部４及びスリット４ａは第１実施形態参照）に対向する接合部を、その内縁１ｍがスリット４ａに向かって迫り出す迫出部１ｎとした点である。この迫出部１ｎの内縁１ｍは、平面視において内側に向かって緩やかに湾曲する形状とされている。
【００４４】
このような液状化粧料容器２００によれば、スリット４ａに向かって迫り出す迫出部１ｎにより、当該迫出部１ｎとスリット４ａとの間が他の部分（接合部１ｂとスリット４ａが開口されていないパイプ部４との間）に比して狭められた流路を形成するため、使用者が袋部１ｃを押すと、袋部１ｃ内の液状化粧料Ｌはスリット４ａの近傍を流通してパイプ部４内に容易に進入し、従って、液状化粧料Ｌを一層使い切ることができ残量を一層少なくできる。
【００４５】
図８は、本発明の第３実施形態に係る液状化粧料容器を示す図であり、袋状容器及び接合部の形状を説明するための概略平面図である。
【００４６】
この第３実施形態の液状化粧料容器３００が第２実施形態の液状化粧料容器２００と違う点は、迫出部を、外縁１ｐも内縁１ｍに沿う湾曲形状とした迫出部１ｑとした点である。
【００４７】
このような第３実施形態の液状化粧料容器３００よれば、第２実施形態と同様な効果を得ることができるというのはいうまでもなく、加えて、袋状容器の両側部（外縁１ｐ）が内側に湾曲する形状とされるため、デザイン性も高められる。
【００４８】
以上、本発明をその実施形態に基づき具体的に説明したが、本発明は上記実施形態に限定されるものではなく、例えば、上記実施形態においては、特に好ましいとして、パイプ部４の開口をスリット４ａとしているが、単なる孔であっても良い。
【００４９】
また、例えば、底部にマチが設けられてシールされる液状化粧料容器に対しても適用できる。
【符号の説明】
【００５０】
１…袋状容器、１ａ…フィルム、１ｂ…接合部、１ｃ…袋部、１ｄ…開口頚部、１ｎ，１ｑ…迫出部（パイプ部の開口に対する接合部）、２…塗布体付き蓋部、２ａ…蓋部、３…塗布体、４…パイプ部、４ａ…スリット（開口）、１００，２００，３００…液状化粧料容器、Ｌ…液状化粧料。
【図１】
0005646926.tif 000002
【図２】
0005646926.tif 000003
【図３】
0005646926.tif 000004
【図４】
0005646926.tif 000005
【図５】
0005646926.tif 000006
【図６】
0005646926.tif 000007
【図７】
0005646926.tif 000008
【図８】
0005646926.tif 000009